(57)【要約】【課題】  電子放出型表示装置において、平面に複数個の発光素子をマトリックス状に配置し、縦横の共通電極の交差部に発光素子を接続し、共通電極に接続された１ラインの発光素子を順次点灯する表示装置で、共通電極の持つ配線抵抗と、発光素子の持つ容量との組み合わせにより、ローパスフィルタ（低域通過フィルタ）が形成され、駆動波形が、実際の発光素子に到達したときには遅延が生じて、所定の駆動波形での発光動作ができずに、ライン間での明るさの不均一を生ずる原因となっていた。【解決手段】  ライン毎に、休止時間と点灯時間の組み合わせよりなる動作時間を変更する手段を設けた。また、加速電圧もライン毎に変更する構成とし、１ライン毎の明るさの不均一を補正する手段とした。【選択図】  図４
2007108365.tif 000002
【特許請求の範囲】
【請求項１】
表示装置において、
複数の走査線と、
該複数の走査線の少なくとも左右のいずれか一端に接続され、該複数の走査線に対し、走査電圧パルスを順次印加する走査線駆動回路と、
複数の信号線と、
該複数の信号線と接続され、該複数の信号線に対し、入力された映像信号に応じた駆動電圧パルスを印加する信号線駆動回路と、
前記複数の走査線と前記複数の信号線との交差部にそれぞれ接続され、前記走査電圧と前記駆動電圧との電位差に応じて電子を放出する電子源と、
制御手段と
を備え、
前記制御手段は前記駆動電圧パルスの幅が前記走査電圧パルスの幅より大きくなるように前記走査線駆動回路及び信号線駆動回路を制御することを特徴とする表示装置。
【請求項２】
請求項１に記載の表示装置において、
前記制御手段は、前記電子源と前記信号線駆動回路の距離に応じて、前記駆動電圧パルスの幅と前記走査電圧パルスの幅との差が変化するように前記走査線駆動回路及び信号線駆動回路を制御することを特徴とする表示装置。
【請求項３】
請求項２に記載の表示装置において、
前記制御手段は、前記電子源と前記信号線駆動回路の距離が長いほど、前記駆動電圧パルスの幅と前記走査電圧パルスの幅との差が大きくなるように前記走査線駆動回路及び信号線駆動回路を制御することを特徴とする表示装置。
【請求項４】
請求項１〜３に記載の表示装置において、
前記制御手段は、前記電子源と前記信号線駆動回路の距離に応じて、前記駆動電圧パルスの幅及び前記走査電圧パルスの幅を変化させるように前記走査線駆動回路及び信号線駆動回路を制御することを特徴とする表示装置。
【請求項５】
請求項４に記載の表示装置において、
前記制御手段は、前記電子源と前記信号線駆動回路の距離が長いほど、前記駆動電圧パルスの幅及び前記走査電圧パルスの幅が大きくなるように前記走査線駆動回路及び信号線駆動回路を制御することを特徴とする表示装置。
【請求項６】
表示装置において、
複数の走査線と、
該複数の走査線の少なくとも左右のいずれか一端に接続され、該複数の走査線に対し、走査電圧パルスを順次印加する走査線駆動回路と、
複数の信号線と、
該複数の信号線と接続され、該複数の信号線に対し、入力された映像信号に応じた駆動電圧パルスを印加する信号線駆動回路と、
前記複数の走査線と前記複数の信号線との交差部にそれぞれ接続され、前記走査電圧と前記駆動電圧との電位差に応じて電子を放出する電子源と、
前記電子源から放出された電子を加速させる加速電圧を印加する加速電圧印加部と、を備え、
前記電子源と前記信号線駆動回路の距離に応じて、前記加速電圧印加部により印加する加速電圧を変化させることを特徴とする表示装置。
【請求項７】
請求項６に記載の表示装置において、
前記電子源と前記信号線駆動回路の距離が長いほど、前記加速電圧印加部により印加する加速電圧を大きくすることを特徴とする表示装置表示装置。
【請求項８】
表示装置において、
複数の走査線と、
該複数の走査線の少なくとも左右のいずれか一端に接続され、該複数の走査線に対し、走査電圧を順次印加する走査線駆動回路と、
複数の信号線と、
該複数の信号線と接続され、該複数の信号線に対し、入力された映像信号に応じた駆動電圧を印加する信号線駆動回路と、
前記複数の走査線と前記複数の信号線との交差部にそれぞれ接続され、前記走査電圧と前記駆動電圧との電位差に応じて電子を放出する電子源と、
制御手段と、
を備え、
前記制御手段は、前記駆動電圧の印加時間が前記走査電圧の印加時間より長くなるように前記走査線駆動回路及び信号線駆動回路を制御することを特徴とする表示装置。
【請求項９】
請求項８に記載の表示装置において、
前記制御手段は、前記電子源と前記信号線駆動回路の距離に応じて、前記駆動電圧の印加時間と前記走査電圧の印加時間との差が変化するように前記走査線駆動回路及び信号線駆動回路を制御することを特徴とする表示装置。
【請求項１０】
請求項９に記載の表示装置において、
前記制御手段は、前記電子源と前記信号線駆動回路の距離が長いほど、前記駆動電圧の印加時間と前記走査電圧の印加時間との差が大きくなるように前記走査線駆動回路及び信号線駆動回路を制御することを特徴とする表示装置。
【請求項１１】
請求項８〜１０に記載の表示装置において、
前記制御手段は、前記電子源と前記信号線駆動回路の距離に応じて、前記駆動電圧の印加時間及び前記走査電圧の印加時間を変化させるように前記走査線駆動回路及び信号線駆動回路を制御することを特徴とする表示装置。
【請求項１２】
請求項１１に記載の表示装置において、
前記制御手段は、前記電子源と前記信号線駆動回路の距離が長いほど、前記駆動電圧の印加時間及び前記走査電圧の印加時間が大きくなるように前記走査線駆動回路及び信号線駆動回路を制御することを特徴とする表示装置。
【請求項１３】
表示パネルにおいて、
複数の走査線と、
該複数の走査線の少なくとも左右のいずれか一端に接続され、該複数の走査線に対し、走査電圧パルスを順次印加する走査線駆動回路と、
複数の信号線と、
該複数の信号線と接続され、該複数の信号線に対し、入力された映像信号に応じた駆動電圧パルスを印加する信号線駆動回路と、
前記複数の走査線と前記複数の信号線との交差部にそれぞれ接続され、前記走査電圧と前記駆動電圧との電位差に応じて電子を放出する電子源と、
制御手段と
を備え、
前記制御手段は前記駆動電圧パルスの幅が前記走査電圧パルスの幅より大きくなるように前記走査線駆動回路及び信号線駆動回路を制御することを特徴とする表示パネル。
【請求項１４】
請求項１３に記載の表示パネルにおいて、
前記制御手段は、前記電子源と前記信号線駆動回路の距離に応じて、前記駆動電圧パルスの幅と前記走査電圧パルスの幅との差が変化するように前記走査線駆動回路及び信号線駆動回路を制御することを特徴とする表示パネル。
【請求項１５】
請求項１４に記載の表示パネルにおいて、
前記制御手段は、前記電子源と前記信号線駆動回路の距離が長いほど、前記駆動電圧パルスの幅と前記走査電圧パルスの幅との差が大きくなるように前記走査線駆動回路及び信号線駆動回路を制御することを特徴とする表示パネル。
【請求項１６】
請求項１３〜１５に記載の表示パネルにおいて、
前記制御手段は、前記電子源と前記信号線駆動回路の距離に応じて、前記駆動電圧パルスの幅及び前記走査電圧パルスの幅を変化させるように前記走査線駆動回路及び信号線駆動回路を制御することを特徴とする表示パネル。
【請求項１７】
請求項１６に記載の表示パネルにおいて、
前記制御手段は、前記電子源と前記信号線駆動回路の距離が長いほど、前記駆動電圧パルスの幅及び前記走査電圧パルスの幅が大きくなるように前記走査線駆動回路及び信号線駆動回路を制御することを特徴とする表示パネル。
【発明の詳細な説明】
【技術分野】
【０００１】
本発明は、電子放出素子による平面パネル表示手段を用いてテレビジョン映像などを表示する表示装置に関する。
【背景技術】
【０００２】
テレビジョン受像機などの表示装置においては、表示手段の進歩に伴い、フラットパネル（平面パネル型）表示手段として、電界放出素子（Ｆｉｅｌｄ−ｅｍｉｓｓｉｏｎ  ｅｌｅｍｅｎｔ）や、電子放射素子（Ｅｌｅｃｔｒｏｎ−ｅｍｉｓｓｉｏｎ  ｅｌｅｍｅｎｔ）などを用いたマトリックス型表示装置が開発されつつある。これらのマトリックス型表示装置は、画素を構成する発光素子をマトリックス状に多数個配置して表示を行っている。1つの発光素子は、真空中の空間に電子を放出する電子源と放出された電子を加速する高電圧を印加されていて、電子により励起されて発光を行う蛍光体とにより構成されている。表示画面は、表示動作を行う素子を表示画面に平面状に並べ、それぞれを縦横の導線で接続し、マトリクス状に配置して構成されている。各発光素子を動作させる方式としては、縦横の導線の交点にある発光素子を選択して動作させる、いわゆるマトリックス駆動によるものが一般的である。
【０００３】
平面にマトリクス状に配置した多数の発光素子を駆動する場合には、配線の抵抗が無視できなくなってくる。すなわち、画面のドライブ手段端面近くの、比較的配線長が短い部分と配線長が長い部分とでは、配線抵抗が異なる。これら配線抵抗による電圧降下のため輝度むら等の画質劣化が生じる。この画質劣化を補正する技術として例えば、特許文献１及び特許文献２に記載のものが知られている。
【０００４】
特許文献１には、配線の抵抗による駆動電圧低下を検出して、供給側の電圧にフィードバックして、最終的に所定の駆動電圧を印加するものが開示されている。
【０００５】
また、特許文献２には、駆動回路から電極の位置が遠いほどパルス幅を広げた電圧を印加するものが開示されている。
【０００６】
【特許文献１】特開２００１−３２４９５７号公報
【特許文献２】特開２００５−１１５３１４号公報
【発明の開示】
【発明が解決しようとする課題】
【０００７】
しかし、特許文献１及び特許文献２では、発光素子の持つ容量成分の影響について考慮されていなかった。すなわち、駆動波形が矩形であった場合、実際に印加される波形は遅れをもって、波形の一部が欠けた形状となり、結果として、十分な電圧が印加されず、最終的に所定の明るさを得ることが出来ないことがある点、従来十分に認識されていなかった。
【０００８】
そこで、本発明の目的は、発光素子の持つ容量成分による画質劣化に対して、良好に画質補正して、表示画像の画質を向上させるのに好適な技術を提供することにある。
【課題を解決するための手段】
【０００９】
本発明に係る表示装置は、複数の走査線と、該複数の走査線の少なくとも左右のいずれか一端に接続され、該複数の走査線に対し、走査電圧パルスを順次印加する走査線駆動回路と、複数の信号線と、該複数の信号線と接続され、該複数の信号線に対し、入力された映像信号に応じた駆動電圧パルスを印加する信号線駆動回路と、前記複数の走査線と前記複数の信号線との交差部にそれぞれ接続され、前記走査電圧と前記駆動電圧との電位差に応じて電子を放出する電子源と、制御手段とを備え、前記制御手段は前記駆動電圧パルスの幅が前記走査電圧パルスの幅より大きくなるように前記走査線駆動回路及び信号線駆動回路を制御することを特徴とする。これにより、容量成分による波形の遅延に対応して、駆動電圧を印加することが可能となる。さらに、例えば、波形の遅延の大きいライン、すなわちドライブ素子側端面からの距離が大きくなり遅延が大きくなるラインの駆動においては、前記駆動電圧パルスの幅と前記走査電圧パルスの幅の差がより大きくなるように制御を行う。
【発明の効果】
【００１０】
本発明によれば、発光素子の持つ容量成分による画質劣化に対して、良好に画質補正して、表示画像の画質を向上させるのに好適な技術を提供することができる。
【発明を実施するための最良の形態】
【００１１】
以下、図面を参照しながら、本発明の最良の形態について説明する。なお、全図において、共通な機能を有する構成要素には同一符号を付して示し、また、煩雑さを避けるために、一度述べたものについてはその繰り返した説明を省略する。
【実施例１】
【００１２】
図１から図８は、本発明による、第１の一実施例の説明図である。図１から図８を用いて、先に動作の概略内容を説明した後に、個別の動作内容の説明を、図１から順に説明する。
【００１３】
図１は、本発明による第１の一実施例であるマトリックス型表示装置を示す斜視図である。図１において、表示装置１は、表示装置用支持台１０に支持された状態である。図２は、図１に示した一実施例の表示部の拡大図である。表示動作を行う発光素子は、電子放出手段２１０と蛍光体２３０との組み合わせで構成されている。図３では、発光素子内部の斜視図を示している。発光素子への電気的接続は、マトリックス状に縦横に伸びる共通電極により接続されており、これらの電極を適宜選択して発光動作を行っている。発光動作は、１本の電極に共通に接続された１ライン分の素子を同時に点灯させるライン順次点灯方式で行っており、この１ライン分の点灯を順次切り替えて１画面の表示を行っている。図４は、パネル全体の回路構成を示す説明図である。発光素子を駆動する回路が、データドライバ４２０のあるデータ側とスキャンスイッチのたとえばスイッチＡ５１０のあるスキャン側の２方向に設置してある。カウントしたライン数に基づきＲＯＭ手段７２０に記憶された所定の数値がパルス発生回路Ａ７３０に送られ、ライン番号に対応したパルス幅の信号がラッチ信号線７４０に送りだされ、この時間が１ラインの休止時間となる。さらに、パルス発生回路Ｂにより作成される固定長の時間、発光時間として発光素子に電圧を印加される。これらの、休止時間と発光時間の和が１ラインの動作時間となり、表示するライン番号により休止時間が変化して、１ラインの動作時間が変化する構成となっている。図５は、１つの発光素子での等価回路の説明図であり、図５（ａ）が第１番目のラインの発光素子の等価回路、図５（ｂ）が例えば第７６８ライン目の発光素子の等価回路である。図６は、図５（ｂ）の第７６８ライン目の発光素子を駆動する場合の抵抗とコンデンサにより形成される遅延回路の説明図である。図７は、発光を行う素子である電子放出手段の印加電圧と素子を流れる電流すなわち明るさとの関係を示している。図８は、第１ラインでの発光素子の駆動電圧波形と、第７６８ラインでの発光素子の駆動波形とを示している。ドライブ手段より遠い、第７６８ラインでの駆動波形は、立ち上がり、立下りとも遅延が発生しており、この時間には発光動作を行わずに、所定の電圧に到達後に発光動作を行う構成となっている。
【００１４】
図９は、表示手段全体の動作波形を示す説明図である。第１ラインから徐々に１ライン毎の動作時間を長くして、ラインごとの駆動波形遅延があっても表示明るさに影響を受けない構成としてある。
【００１５】
ここで、図１に戻り、本発明による第１番目の実施例の詳細を説明する。
【００１６】
図１は、本発明による第１の実施例であるマトリックス型表示装置を示す斜視図である。図１において、表示装置１は、表示装置用支持台１０に支持された状態である。信号入力端子１２０より取り入れた外部の放送電波やビデオ信号などをもとに、表示装置１の表示パネル２００に映像を表示して使用する。また、電源の操作は電源スイッチ１１０を操作することにより行う。表示装置１の表示パネル２００は、本説明では電子放出素子によるマトリックス型フラットパネル表示手段を用いた例で説明する。
【００１７】
図２は、図１に示した本発明による第１の実施例である表示装置１の表示部２の主要部をなす表示パネル２００の断面を示している。この図は、マトリックス状に平面に配置された多数の素子のうちの１素子分の断面である。
【００１８】
表示動作は、電子放出手段２１０より放出される電子が加速高電圧印加手段、例えば５ｋＶ（５０００Ｖ）以上などの高電圧を印加したアノード電極２８０に引かれ、軌道２２０を経て蛍光体２３０へ到達し、蛍光体２３０を励起して発光動作を行うことにより実現する。
【００１９】
表示パネル２００の全体構造は、カソード基板２４０とアノード基板２５０の２枚のガラス基板の間と基板の間隔を維持するスペーサ２６０により形成される真空空間２７０内の部材により構成されている。
【００２０】
電子放出手段側２１０は、カソード基板２４０上にある下部電極２１１のさらに上の保護絶縁層２１４の一部である薄くなった絶縁層２１２、上部電極２１３により構成される。下部電極２１１と上部電極２１３の間が絶縁層２１２により隔てられており、この間に所定の電圧、例えば９Ｖなどの電圧を加えることにより、真空空間２７０に向かって電子を放出する。印加する電圧により放出される電子の量をコントロールすることができる。また、スペーサ２６０の下部には、カソード基板側から、下部電極２１１、保護絶縁層２１４、層間マスク２１５、厚膜電極２１８、上部電極２１３の順に構成されている。
【００２１】
蛍光体側の構成は、透明なガラスにより構成されるアノード基板２５０に設けた所定の導電性をもつ蛍光体２３０と、画素を構成する蛍光体の周囲を取り囲むアノード電極２８０により構成されている。アノード電極２８０には、加速高電圧印加手段など表示パネル２００の外部から供給される例えば５０００Ｖなどの高電圧が、カソード基板の下部電極との間に印加されている。このときアノード電極２８０に接続された蛍光体２３０はほぼ同じ電位となっている。先ほど説明した、カソード側の電子放出手段２１０より放出された電子は、アノード電極２８０に接続された蛍光体２３０にひきつけられて、軌道２２０のように真空空間２７０内を進み、蛍光体２３０に衝突し、蛍光体２３０の蛍光作用により、発光動作を行う。
【００２２】
この図２は、１つの画素を構成する例えば３色成分の内の１つの色成分、例えば緑色の素子を示している。１つの画素は、例えばその他赤と青の２色の表示を行う素子を加えた３素子により構成される。さらに、２次元的に縦横に配置した画素が表示する画面全体を構成している。電子放出手段へ給電する電極は、下部電極２１１はこの図では向かって左右方向に伸びており、上部電極２１３はこの図では厚膜電極２１８に接続され、厚膜電極はこの図では向かって前後方向に伸びている。このように、マトリックス状に２次元的に配置された電極により、夫々の画素を構成する電子放出手段に対して電圧を印加することにより、電子を放出させて、蛍光体を発光させて表示動作を行っている。
図３は、本発明による第１図に示した第１番目の実施の形態による表示装置の表示パネル全体の内部構成を示す斜視図である。図３（ａ）から図３（ｅ）で、夫々の部位毎の構成より、電極部分の構造詳細の説明を行う。図３（ａ）で、全体の構造を、図３（ｂ）で電子放出素子部の構造を、図３（ｃ）で電子放出素子部の分解図を、図３（ｄ）で下部電極部の構造を、そして、図３（ｅ）で上部電極部の構造を説明する。
まず図３（ａ）から説明する。図３（ａ）は、画素を構成する数素子分のパネル全体から見た領域の拡大及び断面の斜視図である。
【００２３】
電子放出手段２１０部分は、カソード基板２４０上にある下部電極２１１、上部電極２１３およびその間の保護絶縁層２１４により構成される。図２で説明したように電子下部電極３１１と上部電極３１３の間の薄くなった絶縁層２１２により隔てられており、この間に所定の電圧、例えば９Ｖなどの電圧を加えることにより、真空空間に向かって電子を放出する。そして、放出された電子が最終的にアノード基板２５０側の蛍光体２３０に進んで、発光動作を行う。
【００２４】
この図３（ａ）で示すように、隣接する電子放出手段２１０  ２１０´などの複数の素子により１画素分を構成しており、さらに縦横２次元的に配置された多数の画素により、画面として表示する領域を構成している。このときの１画素のサイズは、例えば５００μｍなどのピッチで構成されている。スペーサ２３０は、所定間隔（たとえば４素子、２ｍｍ毎など）をおいて厚膜電極２１８の上に乗って配置されている。
図３（ｂ）は、アノード基板側を省略して、カソード基板側のみの電子放出部の構造の拡大斜視図である。また、断面は先ほど説明した図２の断面図と同じものを立体的に表示している。
【００２５】
厚膜電極２１８は、図３（ｂ）では、左上から右下方向に向かって連続した導体として接続されており、平行した隣の厚膜電極２１８´などとは、絶縁されており導通はない。厚膜電極２１８からは、夫々の電子放出手段に向かった上部電極２１３が接続されている。
図３（ｃ）は、電子放出部の構造の層毎の分解図である。
カソード基板２４０上の下部電極２１１は、左下から右上方向に向かって連続した導体として接続されており、厚膜電極２１８の方向とは直交方向に配置されている。このとき、図３（ｂ）の電子放出手段２１０、２１０´などの連続した素子の下側で下部電極は接続しており、図３（ｃ）の平行する素子列の下部電極２１１´とは絶縁されており導通はない。
【００２６】
このように、複数の厚膜電極２１３と下部電極２１１がマトリックス状に直交した配置となっており、交差部分に電子放出手段２１０が配置されている。
【００２７】
図３（ｄ）は、下部電極のみの斜視図である。図３（ｅ）は上部電極２１３と圧膜電極２１８の斜視図である。
【００２８】
ここで、図３（ａ）で、特定の電子放出手段２１０を動作させる場合には、電子放出手段２１０に接続された、厚膜電極２１８と下部電極２１１を選択すればよい。隣接する電子放出手段２１０´を動作させる場合には、電子放出手段２１０´に接続された厚膜電極２１８´と下部電極２１１とを選択すれば良い。後の説明では、これらの厚膜電極３２２の接続先は、スキャン駆動回路、下部電極３１１の接続先はデータ駆動回路として説明している。
【００２９】
また、スペーサ２６０の下部には、カソード基板側から、下部電極２１１、保護絶縁層２１４、層間マスク２１５、圧膜電極２１８、上部電極３１３の順に構成されている。
下部電極２１１は、蒸着工程により作成されており、膜厚はたとえば１０μｍなどとなっており、この厚さは厚膜電極２１８の厚さ、たとえば３００μｍなどよりはるかに薄い。また、下部電極２１１は、画面サイズにもよるが、例えば縦寸法４００ｍｍに対して、幅が画素サイズの５００μｍ以下の４００μｍなどとなり、その内部抵抗が無視できない。内部抵抗は、例えば縦寸法４００ｍｍで１ｋΩとなり、ドライブ回路に接続された直近の素子と一番離れた素子とでは、上記の例では回路的に１ｋΩの抵抗の違いをもつことになる。このため、下部電極の内部抵抗の補正を行う必要がある。
【００３０】
図４は、本発明による第１実施例の表示パネル全体の回路構成を示すブロック図である。
発光を行う素子部分の説明は後述の図５で説明するため、この図４では、２次元マトリックス状に配置した発光素子を駆動する仕組みを説明する。表示パネル全体の動作としては、表示する画面に対応するデータにより、水平方向の１ライン毎に発光動作させて表示を行い、この１ラインの発光を順次上から下方向に切り替えてゆき、１画面の表示として完成させる。１画面の表示時間は、人間の目の残像より、例えば約１７ｍｓ程度として、１秒間に６０枚の画面を表示している。このとき、１ラインの発光時間は、１秒間に６０枚の画面を表示するため、１７ｍｓ間に例えば７６８本のラインを表示することから、平均約０．０２２ｍｓ間に１ラインの表示を行うことになる。
パネル３５０内部にマトリックス状に配置された発光素子は、パネル３５０外部に配置された駆動回路と接続されている。また、この駆動回路は、図示していない制御手段により制御されて動作している。
【００３１】
駆動回路全体の動作は、まず第１段階でデータ駆動側の各ドライバ手段に画像の１ライン分の表示データをセットし、第２段階にスキャン駆動側のスイッチ手段を動作させて、動作させるラインを選択して電圧を印加するという手順でおこなう。
【００３２】
第１段階のデータ駆動側の動作を、データの入力から順番に説明する。まず、データ入力４５０から入力されたデジタルデータが、Ｄ／Ａ変換器４１０により、アナログ信号に変換される。デジタルデータは、表示する画面の水平方向の１ライン分の複数画素分、例えば１３６５画素分で、例えば１画素３色で１３６５ｘ３＝４０９５個のデータを順次送り込む。データの切替は、入力されるクロック信号４５１により、順番に切り替えてゆく。このとき、Ｄ／Ａ変換回路の規準電圧は、データ電源６２０より供給される電圧を用いており、Ｄ／Ａ変換後のアナログ信号のとりうる電圧範囲は、このデータ電源６２０により規定される。アナログ信号に変換されたデータは、シフトレジスタ４４０に入力され、クロック信号４５１により、シフトレジスタ４４０に保持・記憶される。このようにして、画面の横の１ラインに対応する１列分の画素、例えば１３６５画素に対応した４０９５個のデータが入力される。
【００３３】
次に、１ライン分のデータをラッチ回路４３０にて保持する。このラッチ回路４３０は、１ライン分のデータを表示している間、次の１ライン分のデータをシフトレジスタに入力してい途中でも、表示データが変わらないようにするために設置しているものである。ラッチ回路４３０からの出力は、表示する発光素子の数例えば４０９５素子に対応した数の出力を持っている。そして、出力信号は、ドライバ４２０にて、インピーダンス変換されて、低インピーダンス駆動にてパネル３５０へと送られ、発光素子を駆動する。このとき、ラッチ回路４３０へのラッチ信号７３１は、パルス発生回路Ａ７３０により生成されており、外部から送られるスキャン信号５３０端子からの入力に基づいて生成される。さらに、後述するように点灯するライン番号に応じてラッチ信号の幅が変更されている。ラッチ回路４３０は、ラッチ信号７３１の波形の立ち上がりで動作する。ラッチ信号の幅に関しては後述する。
【００３４】
次に、第２段階のスキャン駆動側のスイッチ手段の動作を説明する。
パネル３５０の別の端子であるスキャン側は、選択して動作させる１ラインに所定の電圧を印加させることにより動作を行う。例えば、パネル３５０の第１ライン３５１を駆動するには、スイッチＡ５１０を動作させる。休止状態のときには、例えば接地状態で、電圧０Ｖ側にスイッチＡ５１０をセットしておく。動作させるときには、スイッチＡ５１０を切り替えて、スキャン電源６１０の電圧を第１ライン３５１に印加させる。このスイッチＡ５１０の動作は、パルス発生回路Ｂ７４０により生成される、所定の例えば０．０１７ｍｓなどの長さのパルスにより動作する。
【００３５】
パルス発生回路Ｂ７４０から出力される信号は、カウンタＢ５５０にも供給されている。カウンタＢ５５０の計数回路で、入力されたパルス数をカウントして、順次駆動するラインへの出力を行っている。例えば、第１ライン目の第１のパルスが入力されると、ゲートＡ５２０に接続された信号線に信号を出力する。２発目のパルスが入力されると、第２ラインを担当しているゲートＢ５２１に接続された信号線に信号を出力する。そして、７６８発目のパルスが入力されると、第７６８ラインを担当しているゲートＤ５２５に接続された信号線に信号を出力する。このように、カウンタＢ５５０は、順次例えば１から７６８ラインまでのパルスをカウントして、それぞれの出力ラインに信号を出力して、動作すなわち発光させるラインを選択する。
【００３６】
ここで、全体の動作を上流側に戻って説明する。
１ラインの表示動作を開始する信号は、スキャン入力端子５３０からのパルス信号をトリガ（引き金）として動作している。スキャン信号は、図示していない制御手段から１ラインの動作ごとに送られる。
【００３７】
入力されたパルス状の信号は、カウンタＡ７１０とパルス発生回路Ａ７３０とに送られる。このとき、カウンタＡ７１０では、入力されたパルス数を計数しライン番号としてその結果をＲＯＭ７２０（読み出し専用メモリ）に送る。ＲＯＭ７２０では、記憶されている情報を計数されたライン番号より読み出して、パルス幅情報としてパルス発生回路Ａ７３０に送る。パルス幅発生回路Ａ７３０では、送られてきたパルス幅情報に基づき、例えば第１ライン目には０．００１ｍｓ、第３７４ライン目には０．００５ｍｓ、第７６８ライン目には０．００９ｍｓなどのパルス幅をラッチ信号線７３１に出力する。
【００３８】
ラッチ信号のパルスは、パルス発生回路Ｂ７４０で、再度パルス化されて、カウンタＢ５５０に送られる。カウンタＢ５５０では、一回のラッチ信号ごとに順次出力するラインを切り替えてゆく。すなわち、最初の１回目の出力ラインは、第１ライン部分となり、ゲートＡ５２０に接続されたラインを動作させる。このとき、ゲートＡ５２０では、パルス発生回路Ｂ７４０から送られるパルスと、カウンタＢ５５０から送られる信号のアンドを取り、その出力をスイッチＡ５１０へと送る。第１ラインの発光動作では、パルス発生回路Ｂ７４０から出力されるパルス幅例えば０．０１７ｍｓの時間、スイッチＡ５１０が動作して、スキャン電源６１０の電圧、例えば９Ｖなどの電圧をスキャンラインＡ３５１へと印加する。第２ライン目の動作では、ゲートＢ５２１が動作し、スイッチＢ５１１が動作し、スキャンラインＢ３５２が駆動される。このようにして、第７６８ライン目の動作では、スキャンラインＤ３５５が駆動され、１画面の表示動作が終了する。
【００３９】
図示していない制御手段では、パルス発生回路Ｂ７４０の信号を取り出すスキャン端子５４０より信号を受け取り、１ラインの動作が終了したことを判別して、次の１ラインの動作を開始するスキャン信号端子５３０に開始の信号としてのパルスを入力する。この間、１ラインの動作時間は、先ほど説明したパルス発生回路Ａ７３０によるラッチ信号とパルス発生回路Ｂによるスキャン信号の和となる。１ラインの動作時間は、例えば第１ライン目では、ラッチ信号幅が０．００１ｍｓで、スキャン信号幅が０．０１７ｍｓであり、合計０．０１８ｍｓとなる。例えば第３８４ライン目では、ラッチ信号幅が０．００５ｍｓで、スキャン信号幅が０．０１７ｍｓであり、合計０．０２２ｍｓとなる。例えば第７６８ライン目では、ラッチ信号幅が０．００９ｍｓで、スキャン信号幅が０．０１７ｍｓであり、合計０．０２６ｍｓとなる。このように、ライン番号に対応した所定の動作時間で動作が行われる。すなわち、ライン番号が若く、ドライブ側のドライバ４２０に近いラインを駆動するときには、動作時間を狭くし、ライン番号が多く、ドライブ側のドライバ４２０から遠いラインを駆動するときには、動作時間を広くする。
【００４０】
なお、ドライブ側のパネル内部電極が薄膜でできているのに対して、スキャン側のパネル内の電極は、例えば厚膜電極であり、パネルの水平方向幅約８００ｍｍに対して、抵抗値として例えば１０Ωであり、ドライブ側の抵抗値例えば１ｋΩに比較して無視できるほど小さい。
その他、高圧回路９００より供給される加速電圧例えば５ｋＶがパネル３５０には供給されている。
【００４１】
次に、発光素子部分を中心とした説明をおこなう。
図５は、本発明による第１実施例の、発光素子１素子分の等価回路と、その駆動回路の説明図である。説明用のため、マトリックス駆動のためのシフトレジスタ回路やラッチ回路については省略し、１個の発光素子の動作に関連する部分のみを示している。図５（ａ）は、ドライブ回路の直近の第１番目の発光素子の回路を、図５（ｂ）はドライブ回路から離れた発光素子の回路を示している。
【００４２】
図２〜図４で説明したように、１個の発光素子は、スキャン駆動回路とデータ駆動回路に接続されている。図５（ａ）では、等価回路としての発光素子３００のように表現する。すなわち、ツェナーダイオード３２０とダイオード３３０が直列に接続され、ここに並列にコンデンサ３１０が接続されている。その他、パネル内部の配線抵抗３４０、すなわち先ほど説明した下部電極の内部抵抗が直列に接続されている。この図５（ａ）では、ドライブ回路の直近の第１番目の発光素子での場合であり、パネル内部の配線抵抗３４０は１発光素子分の抵抗、例えば１．３Ωとなっている。発光動作を行うためには、発光素子３００に所定の電圧を印加する必要がある。発光素子の動作は、スキャン駆動回路とデータ駆動回路の２つを動作させて行う。
【００４３】
まず、データ駆動回路側では、データ入力４５０から入力されたデジタルデータが、Ｄ／Ａ変換器４１０でアナログ信号に変換され、さらにデータドライバ４２１により駆動されて発光素子３００に電圧が印加される。このとき、Ｄ／Ａ変換回路の規準電圧は、データ電源６２０より供給される電圧を用いており、Ｄ／Ａ変換による電圧変化範囲は、データ電源６２０の電圧により規定される。
【００４４】
次に、スキャン駆動回路側では、スキャン信号７４１と選択信号５５１とが入力されるゲートＡ５２０で双方の信号の一致した信号がスイッチＡ５１０に送られる。このとき、スイッチＡ５１０は、スキャン電源６１０のプラス側とグランド側のどちらかを選択して出力する構成となっている。すなわち、スイッチＡ５１０を経由して、スキャンパルス信号と選択信号に基づき、スキャン電源６１０のプラスかグランドかのどちらかの電位を供給する構成となっている。
【００４５】
発光素子の動作をまとめると、発光素子３００に供給される電圧は、スキャン駆動回路側のスキャン電源６１０の電圧であるプラス側の電圧と、データ駆動回路側のデータ電源６２０の規定するマイナス側の電圧との組み合わせによる電圧が供給される。例えば、スキャン駆動回路がわからプラス７Ｖの電圧が、データ駆動回路側からマイナス１．５Ｖが供給されるとすると、素子にはこれらの電位差である８．５Ｖの電圧が印加されることになる。もちろん、データ駆動回路側の電圧は、Ａ／Ｄ変換回路４４０からの出力により変化するため、上記説明のマイナス１．５Ｖという値は、ある特定の明るさのデータに基づいて設定された値であり、表示動作のなかで、種々変化するものである。
【００４６】
図５（ｂ）は、データ駆動回路から遠い、例えば７６８素子離れた発光素子３０５の等価回路およびその駆動回路を示している。すなわち、発光素子３０５は、ツェナーダイオード３２５とダイオード３３５が直列に接続され、ここに並列にコンデンサ３１５が接続されている。パネルの中では、さらに内部抵抗としては素子の数に対応した７６８個の抵抗があり、駆動回路の直近の抵抗３４０、第２番目の抵抗３４１から同様に７６７番目の抵抗３４４、７６８番目の抵抗３４５と、７６８個の抵抗を直列に持っている。これは、先ほど説明した下部電極の内部抵抗であり、７６８個の抵抗を合計すると、例えば１０００Ωなどの抵抗となる。また、駆動していない各素子は非選択時に等価回路としてはグランドに接地された状態となるため、それぞれの素子の持つコンデンサ成分の容量例えば１０ｐｆなどが、並列に素子の数、この場合は７６８個並んだ状態となる。すなわち、第１番目のコンデンサ３１０、第２番目のコンデンサ３１１・・・第７６７番目のコンデンサ３１４といった具合に、並列に存在している。
【００４７】
図５（ｂ）での素子周辺回路の動作については、図５（ａ）と同様に駆動することが可能である。しかしながら、この図５（ｂ）の場合には、駆動回路が動作してから実際に所定の電圧になるまでの過渡期の状態としては、素子に並列にあるコンデンサ３１０から３１５と抵抗３４０から３４５の持つ作用により、遅れが発生する。この遅れに関しては、図８で詳細を説明する。
【００４８】
図６は、本発明による第１実施例の抵抗とコンデンサの組み合わせを示す説明図である。
図５（ｂ）で説明した内容をより詳細にするために、駆動波形の遅れを発生する部分を詳細にしてある。Ｄ／Ａ回路４１０から送られる駆動電圧は、駆動電源６２０の電圧の範囲でデータ入力端子４５０から入力されるデータに基づいてデータ線４１１に送り出される。そして、第１列のドライバＡ４２１にデータ信号が送られ、パネル３５０内の素子列に信号が送られる。パネルの中では、さらに内部抵抗としては素子の数に対応した７６８個の抵抗があり、駆動回路の直近の抵抗３４０、第２番目の抵抗３４１から同様に７６７番目の抵抗３４５、７６８番目の抵抗３４５と、７６８個の抵抗を直列に持っている。これは、先ほど説明した下部電極の内部抵抗であり、７６８個の抵抗を合計すると、例えば１０００Ωなどの抵抗となる。また、駆動していない各素子は非選択時に等価回路としてはグランドに接地された状態となるため、それぞれの素子の持つコンデンサ成分の容量例えば１０ｐｆなどが、並列に素子の数、この場合は７６８個並んだ状態となる。すなわち、第１番目のコンデンサ３１０、第２番目のコンデンサ３１１・・・第７６７番目のコンデンサ３１４といった具合に、並列に存在している。
【００４９】
そして、第７６８番目の素子３０５が選択されており、第７６８番目のコンデンサ３１５が素子の等価回路であるツェナーダイオード３２５とダイオード３３５の直列回路に並列に接続されている。そして、この選択状態では、スキャン電源６１０のプラス側が接続されている。ここで、例えばＤ／Ａ変換器４１０の出力電圧が入力された画像データに基づいてマイナス１．５Ｖであり、スキャン電源６１０の電圧が７．０Ｖであるとして、流れる電流が０．００１ｍＡなどの微小電流とすると、７６８番目の素子３０５に印加される電圧は、ほぼ合計の８．５Ｖとなる。
このとき、ドライバＡ４２１側から見ると、直列の抵抗、例えば７６８個合計で１０００Ωなどと、並列の容量例えば７６８個合成で約０．０７６８μＦなどの容量として動作し、ローパスフィルタとして作用する。最終の発光素子３０５に駆動波形を印加すると、当然波形遅れ（ディレイ）が発生する。
【００５０】
図７は、本発明による第１実施例の発光を行う素子である電子放出手段の印加電圧と電圧との関係を示している。この特性は、図４及び５で説明したように、回路的には、ツェナーダイオードとダイオードとの組み合わせ特性として表現される。すなわち、ツェナーダイオードのツェナー電圧Ｅ１，７４０に相当する電圧例えば７．０Ｖと、ダイオード電圧Ｅ２に相当する電圧例えば２．０Ｖの２つの電圧の合計を例えばＥ２０、７６０に示すような９．０Ｖの場合、動作電流Ｉ２，８１０例えば０．０２ｍＡが流れ、発光動作を行う。このときの発光光量は、動作電流に連動して増減し、動作電流を多くするほど明るくなる。ダイオード電圧が、例えばマイナス１．５Ｖであるとき、合計印加電圧Ｅ３０、７６１は、７．０Ｖ＋１．５Ｖ＝８．５Ｖとなり、対応する電流Ｉ３、８１４は、例えば０．０１５ｍＡとなる。このようにして、発光する明るさを制御している。
【００５１】
図８は、本発明による第１実施例の発光を行う素子の一部である電子放出手段の１つの素子に印加される電圧波形を示す説明図である。
【００５２】
図８（ａ）は、駆動回路に近い第１ライン目の駆動波形を示しており、図５（ａ）に示したＡ点の電圧波形をツェナー電圧波形６５０、同Ｂ点に示した電圧波形をダイオード電圧波形６６０、同Ｃ点に示したドライブ電圧波形６７０をそれぞれ示している。ツェナー電圧波形６５０は、印加した電圧Ｅ１、例えば７．０Ｖがそのまま印加されている。ダイオード電圧波形６６０では、印加された電圧Ｅ２に対して、時定数を持って若干遅れた波形となるものの、ほぼドライバ回路側に印加された電圧Ｅ２が加えられる。図８（ｂ）には、駆動回路から遠い、例えば７６８ライン目の発光素子での駆動波形を示している。この図８（ｂ）では、先ほど説明した図５（ｂ）のＡ’点の電圧波形がツェナー電圧波形６５０、同Ｂ点に示した電圧波形がダイオード電圧波形６９０、同Ｃ’点に示したドライブ電圧波形７００をそれぞれ示している。
【００５３】
次に具体的な駆動条件の説明を行う。説明は、図５と図８とを併用して行う。第１ライン目の駆動波形である、図８（ａ）で、図５（ａ）のＤ点の電圧波形７１０は、図４で説明したラッチ信号であり、このラッチ信号により、ドライバ４２１が動作して、図５（ａ）のＢ点にドライブ側の電圧が出力される。そして、時定数をもって遅延した駆動波形が発光素子に印加され、図５（ａ）のＣ点の波形６７０のようになる。引き続いて、スキャン回路が動作して、図５（ａ）のＡ点の波形６５０のように、スキャン電圧が印加されて、発光素子に、発光動作に必要な電圧がかかることになる。ドライバ４２１の出力として例えば−１．５Ｖが出力される。このとき、ドライバ４２１の内部インピーダンスは例えば０．１Ωであり、パネル３５０側のデータラインのインピーダンスである内部抵抗Ａ３４０の値の例えば１．３９Ωより十分小さくて無視できる値である。すなわち、素子のダイオード３３０側には、−１．５Ｖが印加されることになる。一方、スキャン側の動作では、スイッチ回路５１０の出力電圧が第１ラインに印加され、このとき、例えばスキャン電源６１０の電圧が７．０Ｖであるとすると、素子のツェナーダイオード３２０側に印加される電圧は７．０Ｖとなる。このとき、素子全体に印加される電圧は、７＋１．５＝８．５Ｖとなる。このときの動作電圧と、素子に流れる電流との関係は図７で説明したように、８．５Ｖに対応する明るさで発光動作を行うことになる。
【００５４】
動作時間の観点から説明する。図８（ａ）は、１画面の表示の最初、例えば第１ライン目の、ドライブ手段に近い発光素子を駆動する場合の動作である。実際に発光素子に印加される電圧波形のうち、Ｃ点の波形が、駆動側のＢ点の波形に比較して遅延している。すなわち、ドライバ４２１により駆動された波形が、途中の抵抗３４０とコンデンサ３１０らにより遅延される。この図８（ａ）では、Ｄ点の波形７１０のラッチ信号の時間ｔ２、９１１が、例えば０．００１ｍｓであり、この０．００１ｍｓ内にＣ点の駆動波形の遅延が静定し、所定の電圧Ｅ２例えばー１．５Ｖに到達する。その後、ツェナーダイオード側に印加されるスキャン電圧波形６５０が印加されて、発光素子として発光動作する。この発光動作を行う時間は、ｔ１、９１０で示すものであり、例えば０．０１７ｍｓの間発光動作を行う。
【００５５】
図８（ｂ）は、１画面の表示の最後、例えば７６８ライン目の、ドライブ手段から離れた発光素子を駆動する場合の動作である。実に実際に発光素子に印加される電圧波形のうち、Ｃ'''点の波形が、駆動側のＢ'''点の波形に比較して遅延している。すなわち、ドライバ４２１により駆動された波形が、途中の抵抗３４０から抵抗３４５に至る７６８個の抵抗とコンデンサ３１０からコンデンサ３１５に至る７６８個のコンデンサにより形成されるローパスフィルタにより遅延される。この図８（ｂ）では、Ｄ'''点の波形７１１のラッチ信号の時間ｔ４、９１３が、例えば０．００９ｍｓであり、この０．００９ｍｓ内にＣ'''点の駆動波形の遅延が静定し、所定の電圧Ｅ２例えばー１．５Ｖに到達する。その後、ツェナーダイオード側に印加されるスキャン電圧波形６５０が印加されて、発光素子として発光動作する。この発光動作を行う時間は、ｔ１、９１０で示すものであり、例えば０．０１７ｍｓの間発光動作を行う。
【００５６】
これら、図８（ａ）と図８（ｂ）で示すように、実際の駆動波形での静定後に所定の電圧に到達後に、スキャン電圧を印加して所定の時間発光動作を行うことにより、常に一定の明るさで表示を行うことができる。
【００５７】
また、図８（ａ）と図８（ｂ）では、表示する明るさによって、印加する電圧が、例えばＥ３、９３０で例えば−１．０Ｖなどであった場合や、例えばＥ４、９４０で例えば−０．５Ｖであったような場合でも、遅延時間の大小にあわせて、適切な到達時間をせっていして発光動作を行うことにより、常に所定の明るさで発光動作を行うことができる。
図９は、本発明による第１実施例の、１画面の表示動作を示す駆動波形チャートである。
第１ライン目の発光素子に加わる駆動波形は、Ａ点のスキャン波形６５０、Ｂ点のドライブ波形６６０、Ｃ点の印加されるドライブ波形６７０のようになっており、発光時間は、スキャン波形６５０の動作時間ｔ１で、例えば０．０１７ｍｓ、１ラインの動作時間はｔ３の例えば０．０１８ｍｓとなっている。第２ライン目の発光素子に加わる駆動波形は、Ａ'点のスキャン波形６５１、Ｂ’点のドライブ波形６６１、Ｃ’点の印加されるドライブ波形６７１のようになっており、発光時間は、スキャン波形６５０の動作時間ｔ１で、例えば０．０１７ｍｓ、１ラインの動作時間はｔ３０の例えば０．０１８５ｍｓとなっている。そして第７６８ライン目の発光素子に加わる駆動波形は、Ａ'''点のスキャン波形６５５、Ｂ'''点のドライブ波形６６５、Ｃ'''点の印加されるドライブ波形６７５のようになっており、発光時間は、スキャン波形６５５の動作時間ｔ１で、例えば０．０１７ｍｓ、１ラインの動作時間はｔ５の例えば０．０２６ｍｓとなっている。このように、動作させるライン番号に対応して徐々に動作時間を長くしてゆくことにより、駆動波形の遅延時間があっても、同じ明るさで発光させることが可能となる。
【００５８】
また、総計の１画面の動作時間内で、ライン毎の動作時間を設定することができ、１画面の動作時間が不整になることなく、本来の表示動作としても問題なく動作させることができる。
【００５９】
図１１は、本発明による第２番目の実施例の全体回路構成を示すブロック図である。
第１実施例の説明と共通の部分は省略し、この第２実施例で第１実施例と違う部分を説明する。
【００６０】
この第２実施例では、１画面の表示を構成する１ラインの表示動作において、１ラインの表示動作時間を変化させるのみならず、表示動作時間の中の点灯時間と休止時間の割合も変更する構成としてある。
【００６１】
図１０では、１ラインの表示動作を開始する信号は、スキャン信号端子５３０からのパルス信号をトリガ（引き金）として動作している。
【００６２】
スキャン信号は、図示していない制御手段から１ラインの動作ごとに送られる。
入力されたパルス状の信号は、カウンタＡ７１０とパルス発生回路Ａ７３０及びカウンタＣ９１０とに送られる。このとき、カウンタＡ７１０では、入力されたパルス数を計数しライン番号としてその結果をＲＯＭ７２０（読み出し専用メモリ）に送る。ＲＯＭ７２０では、記憶されている情報を計数されたライン番号より読み出して、パルス幅情報としてパルス発生回路Ａ７３０に送る。パルス幅発生回路Ａ７３０では、送られてきたパルス幅情報に基づき、例えば第１ライン目には０．００１ｍｓ、第３７４ライン目には０．００５ｍｓ、第７６８ライン目には０．００９ｍｓなどのパルス幅をラッチ信号線７３１に出力する。一方、カウンタＣ９１０では、入力されたパルス数を計数しライン番号としてその結果をＲＯＭＢ９２０（読み出し専用メモリ）に送る。ＲＯＭＢ９２０では、記憶されている情報を計数されたライン番号より読み出して、パルス幅情報としてパルス発生回路Ｃ９３０に送る。パルス幅発生回路Ｂ９３０では、送られてきたパルス幅情報に基づき、例えば第１ライン目には０．０１５ｍｓ、第３７４ライン目には０．０２２ｍｓ、第７６８ライン目には０．０２８ｍｓなどのパルス幅を信号線７４１に出力する。
【００６３】
ラッチ信号のパルスをトリガとして、パルス発生回路Ｃ９３０で発生したパルスは、カウンタＢ５５０に送られる。カウンタＢ５５０では、一回のパルスごとに順次出力するラインを切り替えてゆく。すなわち、最初の１回目の出力ラインは、第１ライン部分となり、ゲートＡ５２０に接続されたラインを動作させる。このとき、ゲートＡ５２０では、パルス発生回路Ｃ９４０から送られるパルスと、カウンタＢ５５０から送られる信号のアンドを取り、その出力をスイッチＡ５１０へと送る。第１ラインの発光動作では、パルス発生回路Ｂ７４０から出力されるパルス幅例えば０．０１５ｍｓの時間、スイッチＡ５１０が動作して、スキャン電源６１０の電圧、例えば９Ｖなどの電圧をスキャンラインＡ３５１へと印加する。第２ライン目の動作では、ゲートＢ５２１が動作し、スイッチＢ５１１が動作し、スキャンラインＢ３５２が駆動され、上記のようにパルス幅たとえば０．０１７ｍｓの時間動作する。このようにして、第７６８ライン目の動作では、スキャンラインＤ３５５が駆動され、上記のようにパルス幅、たとえば０．０１９ｍｓの時間動作して、１画面の表示動作が終了する。
【００６４】
図示していない制御手段では、パルス発生回路Ｂ７４０の信号を取り出すスキャン端子５４０より信号を受け取り、１ラインの動作が終了したことを判別して、次の１ラインの動作を開始するスキャン信号端子５３０に開始の信号としてのパルスを入力する。この間、１ラインの動作時間は、先ほど説明したパルス発生回路Ａ７３０によるラッチ信号とパルス発生回路Ｃ９３０によるスキャン信号の和となる。１ラインの動作時間は、例えば第１ライン目では、ラッチ信号幅が０．００１ｍｓで、スキャン信号幅が０．０１５ｍｓであり、合計０．０１６ｍｓとなる。例えば第３８４ライン目では、ラッチ信号幅が０．００５ｍｓで、スキャン信号幅が０．０１７ｍｓであり、合計０．０２２ｍｓとなる。例えば第７６８ライン目では、ラッチ信号幅が０．００９ｍｓで、スキャン信号幅が０．０２２ｍｓであり、合計０．０２８ｍｓとなる。このように、ライン番号に対応した所定の動作時間で動作が行われる。すなわち、ライン番号が若く、ドライブ側のドライバ４２０に近いラインを駆動するときには、動作時間を休止時間と点灯時間ともに狭くし、ライン番号が多く、ドライブ側のドライバ４２０から遠いラインを駆動するときには、休止時間と点灯時間ともに動作時間を広くする。
【００６５】
図１１は、本発明による第２実施例の主要動作波形を示す説明図である。
図１１（ａ）においては、図１０に示したＡ、Ｂ、Ｃ、Ｄの各点の波形を、図１１（ｂ）においては、図１０に示した、Ａ’、Ｂ、Ｃ’、Ｄの各点の波形を示している。
【００６６】
動作時間の観点から説明する。図１１（ａ）は、１画面の表示の最初、例えば第１ライン目の、ドライブ手段に近い発光素子を駆動する場合の動作である。実際に発光素子に印加される電圧波形のうち、Ｃ点の波形が、駆動側のＢ点の波形に比較して遅延している。すなわち、ドライバ４２１により駆動された波形が、途中の抵抗３４０とコンデンサ３１０らにより遅延される。この図１１（ａ）では、Ｄ点の波形７１２のラッチ信号の時間ｔ７、９５１が、例えば０．００１ｍｓである。その後、ツェナーダイオード側に印加されるスキャン電圧波形６５０が印加されて、発光素子として発光動作する。この発光動作を行う時間は、ｔ６、９５１で示すものであり、例えば０．０１５ｍｓの間発光動作を行う。
【００６７】
図１１（ｂ）は、１画面の表示の最後、例えば７６８ライン目の、ドライブ手段から離れた発光素子を駆動する場合の動作である。実に実際に発光素子に印加される電圧波形のうち、Ｃ'点の波形が、駆動側のＢ点の波形に比較して遅延している。すなわち、ドライバ４２１により駆動された波形が、途中の抵抗３４０から抵抗３４５に至る７６８個の抵抗とコンデンサ３１０からコンデンサ３１５に至る７６８個のコンデンサにより形成されるローパスフィルタにより遅延される。この図１１（ｂ）では、Ｄ点の波形７１３のラッチ信号の時間ｔ１０、９５４が、例えば０．００９ｍｓであり、この０．００９ｍｓ内にＣ'点の駆動波形の遅延は静定せず、所定の電圧Ｅ２例えばー１．５Ｖには到達していない。その後、ツェナーダイオード側に印加されるスキャン電圧波形６５２が印加されて、発光素子として発光動作する。この発光動作を行う時間は、ｔ９、９５３で示すものであり、例えば０．０１９ｍｓの間発光動作を行う。
【００６８】
図１０で説明したように、１ライン毎の動作時間を、休止時間と点灯時間の双方を徐々に変更するため、発光素子に印加される電圧が静定する前から点灯動作を行っても、発光に寄与するエネルギを一定に保つことができ、所定の明るさで表示することが可能となる。
【００６９】
図１２は、本発明による第３番目の実施例の全体回路構成を示すブロック図である。
第１及び第２実施例の説明と共通の部分は省略し、この第３実施例で他の実施例と違う部分を説明する。
【００７０】
この第３実施例では、１画面の表示を構成する１ラインの表示動作において、１ラインの表示動作時間は変化させず、電子の加速電圧を変更する構成としてある。
図１２では、１ラインの表示動作を開始する信号は、スキャン信号端子５３０からのパルス信号をトリガ（引き金）として動作している。スキャン信号は、図示していない制御手段から１ラインの動作ごとに送られる。
【００７１】
入力されたパルス状の信号は、カウンタＡ７１０とパルス発生回路Ａ７３０とに送られる。このとき、カウンタＡ７１０では、入力されたパルス数を計数しライン番号としてその結果をＲＯＭ７２０（読み出し専用メモリ）に送る。ＲＯＭ７２０では、記憶されている情報を計数されたライン番号より読み出して、パルス幅情報をパルス発生回路Ａ７３０に送る。同時に、ＲＯＭ７２０から、加速電圧情報を、信号線９０１を経由して高圧回路９００に送る。パルス幅発生回路Ａ７３０では、送られてきたパルス幅情報に基づき、例えば第１ライン目には０．００１ｍｓ、第３７４ライン目には０．００５ｍｓ、第７６８ライン目には０．００９ｍｓなどのパルス幅をラッチ信号線７３１に出力する。高圧回路９００では、送られてきた加速電圧情報により、例えば第１ライン目には７．０ｋＶ、第３７４ライン目には７．８ｋＶ、第７６８ライン目には８．８ｋＶなどの加速電圧を発生して、表示パネル３５０に供給する。加速電圧の大小により、表示パネルの発光光量が変化するため、加速電圧を１ライン毎に変更することにより、１ライン毎に明るさを調整することができる。
【００７２】
ラッチ信号のパルスは、パルス発生回路Ｂ７４０で、再度パルス化されて、カウンタＢ５５０に送られる。カウンタＢ５５０では、一回のラッチ信号ごとに順次出力するラインを切り替えてゆく。すなわち、最初の１回目の出力ラインは、第１ライン部分となり、ゲートＡ５２０に接続されたラインを動作させる。このとき、ゲートＡ５２０では、パルス発生回路Ｂ７４０から送られるパルスと、カウンタＢ５５０から送られる信号のアンドを取り、その出力をスイッチＡ５１０へと送る。第１ラインの発光動作では、パルス発生回路Ｂ７４０から出力されるパルス幅例えば０．０１７ｍｓの時間、スイッチＡ５１０が動作して、スキャン電源６１０の電圧、例えば９Ｖなどの電圧をスキャンラインＡ３５１へと印加する。第２ライン目の動作では、ゲートＢ５２１が動作し、スイッチＢ５１１が動作し、スキャンラインＢ３５２が駆動される。このようにして、第７６８ライン目の動作では、スキャンラインＤ３５５が駆動され、１画面の表示動作が終了する。
【００７３】
図１３は、図１２に示した第３実施例での主要部分の駆動波形を示す。図１２の中で、高圧発生回路９００からの出力電圧であるＧ点の電圧波形は、図１３（ａ）に示す第１ラインの発光動作時には、例えば電圧Ｇ１，９９０で示す値、例えば７．０ｋＶである。図１３（ｂ）に示す第７６８ラインの発光動作時には、Ｃ’点での動作電圧波形７０５は、ローパスフィルタの影響で静定していない。そして、この第７６８ラインでの発光動作時の加速電圧Ｇ２、９９１で示す値は、例えば８．８ｋＶとしてある。その他、第１実施例で説明したと同様に、ライン番号に対応した所定の動作時間で動作が行われる。すなわち、ライン番号が若く、ドライブ側のドライバ４２０に近いラインを駆動するときには、動作時間を狭くし、ライン番号が多く、ドライブ側のドライバ４２０から遠いラインを駆動するときには、動作時間を広くする。
【００７４】
このように、動作時間をライン毎に変更し、さらに高圧の加速電圧をもライン毎に変更する構成とすることにより、発光素子に印加される電圧の遅延が大きく、静定時間がかかるような場合であっても、１画面の中での明るさのムラを防止し、均一な画面表示を実現することができる。
【００７５】
以上、本発明の実施例の説明では、表示手段に電子放出素子を用いる表示パネルの例で説明したが、他の電子式表示方式、例えば電界放射型素子（Ｆｉｅｌｄ−ｅｍｉｓｓｉｏｎ  ｅｌｅｍｅｎｔ）などの自発光型の発光素子を用いるものであっても同様の効果が有ることは言うまでもない。
【００７６】
また、本発明の実施例の説明では、１ラインの動作時間の中で、休止と点灯時間の２つの時間を適宜変更する方式及び高圧の加速電圧を変更するという３つの要素での代表的な３つの実施例で説明を行ったが、その他の組み合わせ、例えば、休止と点灯時間は全ライン一定で、加速電圧のみを変更するような構成などであっても同様の効果があることは言うまでもない。
【００７７】
さらに、上記実施例では、走査電圧パルスを順次印加する走査線駆動回路は走査線の一端に設置されているが、両端に設置されていてもよい。同様に、入力された映像信号に応じた駆動電圧パルスを印加する信号線駆動回路は信号線の一端に設置されているが、両端でもよい。
【図面の簡単な説明】
【００７８】
【図１】本発明の第１実施例に係る表示装置の外観を示す斜視図。
【図２】本発明の第１実施例に係る表示パネルの断面図。
【図３】本発明の第１実施例に係る表示パネルの内部電極構成を示す斜視図。
【図４】本発明の第１実施例に係る表示パネルの駆動回路全体の説明図。
【図５】本発明の第１実施例に係る表示パネルを構成する発光素子の１個分の回路説明図。
【図６】本発明の第１実施例に係る表示パネルを構成する発光素子の１個分のローパスフィルタとしての回路構成説明図。
【図７】本発明の第１実施例に係る表示パネルを構成する発光素子の電圧・電流特性グラフ。
【図８】本発明の第１実施例に係る表示パネルを構成する発光素子１画素の駆動波形の説明図。
【図９】本発明の第１実施例に係る表示パネル全体の駆動波形の説明図。
【図１０】本発明の第２実施例に係る表示パネルの駆動回路全体の説明図。
【図１１】本発明の第２実施例に係る表示パネルを構成する発光素子に印加される駆動電圧波形の説明図。
【図１２】本発明の第３実施例に係る表示パネルの駆動回路全体の説明図。
【図１３】本発明の第３実施例に係る表示パネルを構成する発光素子に印加される駆動電圧波形の説明図。
【符号の説明】
【００７９】
１  表示装置、２  表示部、２００  表示パネル、２４０  カソード基板、２５０  アノード基板、３３０  スペーサ、２７０  真空空間、２１０  電子放出手段、２２０  軌道、２３０  蛍光体、３１１  下部電極、３１３  上部電極、３２２  厚膜電極、４１０  Ｄ／Ａ変換回路、４４０  シフトレジスタ、４２０  ドライバ、７３０  パルス発生回路Ａ、７４０  パルス発生回路Ｂ、５２０  ゲート回路、５１０  スイッチ回路、３５０  表示パネル、３００  発光素子等価回路、３２０  ツェナーダイオード、３３０  ダイオード、３１０  コンデンサ、３４０  抵抗、６６０  ドライブ側駆動波形、６７０  素子側波形、６５０  スキャン側駆動波形、７１０  ラッチ信号波形、９１０  点灯時間、９１１  休止時間、９１２  第１ラインでの動作時間、９１３  第７６８ラインでの休止時間、９１４  第７６８ラインでの動作時間。
【図１】
2007108365.tif 000003
【図２】
2007108365.tif 000004
【図３】
2007108365.tif 000005
【図４】
2007108365.tif 000006
【図５】
2007108365.tif 000007
【図６】
2007108365.tif 000008
【図７】
2007108365.tif 000009
【図８】
2007108365.tif 000010
【図９】
2007108365.tif 000011
【図１０】
2007108365.tif 000012
【図１１】
2007108365.tif 000013
【図１２】
2007108365.tif 000014
【図１３】
2007108365.tif 000015